【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
ネットワークを介して複数のプレイヤの端末装置とそれぞれ接続されたゲーム管理サーバ装置であって、
それぞれ複数のプレイヤで構成される複数のチームがゲーム空間内に配置された複数の拠点を奪い合うゲームを提供するゲーム管理制御部と、
前記複数の拠点を含むゲーム空間を表示するゲーム空間表示処理部と、
各前記プレイヤの端末装置から、前記ゲーム空間内の前記複数の拠点の中から、当該プレイヤの所定の複数のデッキそれぞれを配置する拠点の選択を受け付け、当該複数のデッキそれぞれを選択された前記拠点に配置するデッキ配置処理部と、
各前記プレイヤの端末装置から、当該プレイヤの前記所定の複数のデッキのいずれかが配置された前記拠点の中から、バトルを行う対象の拠点の選択及びバトルの開始指示を受け付ける拠点選択受付部と、
前記拠点選択受付部が選択を受け付けた前記拠点に配置された当該プレイヤのいずれかの前記デッキを用いてバトルを行うバトル管理部と、
各前記プレイヤの端末装置から前記拠点の選択及び前記バトルの開始指示を受け付けた際に、当該拠点及び当該プレイヤが所属する前記チームにおいて、所定のコンボ数加算条件が満たされるか否かを判断し、前記コンボ数加算条件が満たされる場合に、当該プレイヤが当該拠点に配置した前記デッキの数に応じて、当該拠点に対する当該チームのコンボ数を加算するコンボ数加算処理部と、
を含み、
前記ゲーム管理制御部は、各前記拠点毎及び各前記チーム毎に、前記コンボ数加算処理部により加算された前記コンボ数に応じて、当該拠点において当該チームが有利になるように前記ゲームを制御するゲーム管理サーバ装置。
【請求項２】
請求項１に記載のゲーム管理サーバ装置において、
各前記所定の複数のデッキには、それぞれ当該プレイヤが所有し、パラメータ値が設定されたゲーム媒体が配置されており、
前記バトル管理部は、前記拠点選択受付部が選択を受け付けた前記拠点に配置された当該プレイヤのいずれかの前記デッキを用いてバトルを行うことにより、当該デッキに配置された前記ゲーム媒体の前記パラメータ値に応じて当該拠点に対する当該プレイヤのチームのポイントを加算し、
前記ゲーム管理制御部は、各前記拠点毎に、前記バトル管理部により加算された前記ポイントがより多い前記チームが当該拠点における勝利チームとして当該拠点を取得するように前記ゲームを制御するゲーム管理サーバ装置。
【請求項３】
請求項１又は２に記載のゲーム管理サーバ装置において、
前記コンボ数加算条件は、同じチームの複数のプレイヤが同じ拠点において所定時間内に連続してバトルを行うことであるゲーム管理サーバ装置。
【請求項４】
請求項１から３いずれかに記載のゲーム管理サーバ装置において、
前記ゲーム空間表示処理部は、各前記拠点毎に、当該拠点における当該プレイヤが所属するチームにおけるコンボ数を表示するゲーム管理サーバ装置。
【請求項５】
請求項１から４いずれかに記載のゲーム管理サーバ装置において、
前記ゲーム空間表示処理部は、当該プレイヤが所属するチームの他のプレイヤ及び相手チームに所属する他のプレイヤが前記ゲーム空間において配置したデッキの情報を表示するゲーム管理サーバ装置。
【請求項６】
請求項１から５いずれかに記載のゲーム管理サーバ装置において、
前記デッキ配置処理部は、所定の時間毎に、各前記プレイヤに、当該プレイヤの前記所定の複数のデッキそれぞれを配置する拠点の選択を変更する機会を与え、当該プレイヤの端末装置から、当該プレイヤの前記所定の複数のデッキそれぞれを配置する拠点の選択を受け付け、当該複数のデッキそれぞれを選択された前記拠点に配置するゲーム管理サーバ装置。
【請求項７】
ネットワークを介して複数のプレイヤの端末装置とそれぞれ接続されたゲーム管理サーバ装置として機能するコンピュータを、
それぞれ複数のプレイヤで構成される複数のチームがゲーム空間内に配置された複数の拠点を奪い合うゲームを提供するゲーム管理制御手段、
前記複数の拠点を含むゲーム空間を表示するゲーム空間表示処理手段、
各前記プレイヤの端末装置から、前記ゲーム空間内の前記複数の拠点の中から、当該プレイヤの所定の複数のデッキそれぞれを配置する拠点の選択を受け付け、当該複数のデッキそれぞれを選択された前記拠点に配置するデッキ配置処理手段、
各前記プレイヤの端末装置から、当該プレイヤの前記所定の複数のデッキのいずれかが配置された前記拠点の中から、バトルを行う対象の拠点の選択及びバトルの開始指示を受け付ける拠点選択受付手段、
前記拠点選択受付手段が選択を受け付けた前記拠点に配置された当該プレイヤのいずれかの前記デッキを用いてバトルを行うバトル管理手段、
各前記プレイヤの端末装置から前記拠点の選択及び前記バトルの開始指示を受け付けた際に、当該拠点及び当該プレイヤが所属する前記チームにおいて、所定のコンボ数加算条件が満たされるか否かを判断し、前記コンボ数加算条件が満たされる場合に、当該プレイヤが当該拠点に配置した前記デッキの数に応じて、当該拠点に対する当該チームのコンボ数を加算するコンボ数加算処理手段、
として機能させ、
前記ゲーム管理制御手段は、各前記拠点毎及び各前記チーム毎に、前記コンボ数加算処理手段により加算された前記コンボ数に応じて、当該拠点において当該チームが有利になるように前記ゲームを制御するゲーム管理サーバ装置用プログラム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明によれば、
ネットワークを介して複数のプレイヤの端末装置とそれぞれ接続されたゲーム管理サーバ装置であって、
それぞれ複数のプレイヤで構成される複数のチームがゲーム空間内に配置された複数の拠点を奪い合うゲームを提供するゲーム管理制御部と、
前記複数の拠点を含むゲーム空間を表示するゲーム空間表示処理部と、
各前記プレイヤの端末装置から、前記ゲーム空間内の前記複数の拠点の中から、当該プレイヤの所定の複数のデッキそれぞれを配置する拠点の選択を受け付け、当該複数のデッキそれぞれを選択された前記拠点に配置するデッキ配置処理部と、
各前記プレイヤの端末装置から、当該プレイヤの前記所定の複数のデッキのいずれかが配置された前記拠点の中から、バトルを行う対象の拠点の選択及びバトルの開始指示を受け付ける拠点選択受付部と、
前記拠点選択受付部が選択を受け付けた前記拠点に配置された当該プレイヤのいずれかの前記デッキを用いてバトルを行うバトル管理部と、
各前記プレイヤの端末装置から前記拠点の選択及び前記バトルの開始指示を受け付けた際に、当該拠点及び当該プレイヤが所属する前記チームにおいて、所定のコンボ数加算条件が満たされるか否かを判断し、前記コンボ数加算条件が満たされる場合に、当該プレイヤが当該拠点に配置した前記デッキの数に応じて、当該拠点に対する当該チームのコンボ数を加算するコンボ数加算処理部と、
を含み、
前記ゲーム管理制御部は、各前記拠点毎及び各前記チーム毎に、前記コンボ数加算処理部により加算された前記コンボ数に応じて、当該拠点において当該チームが有利になるように前記ゲームを制御するゲーム管理サーバ装置が提供される。